(57)【要約】【課題】この発明は、システムの起動に時間がかかり、一瞬の撮影チャンスを逃すことがあるという課題を解決しようとするものである。【解決手段】この発明は、人が当該携帯機器を手にすることにより作動するメカニカルなシステム起動スイッチ１８と、このシステム起動スイッチ１８からの入力信号に基づいて、人が当該携帯機器を手にした時点でシステム起動に必要な処理であって撮影前に行われる所定のシステム処理を開始させる処理手段１７とを備えたものである。【選択図】図１
2008005158.tif 000002
【特許請求の範囲】
【請求項１】
人が当該携帯機器を手にすることにより作動するメカニカルなシステム起動スイッチと、このシステム起動スイッチからの入力信号に基づいて、人が当該携帯機器を手にした時点でシステム起動に必要な処理であって撮影前に行われる所定のシステム処理を開始させる処理手段とを備えたことを特徴とする携帯機器。
【請求項２】
請求項１記載の携帯機器において、前記所定のシステム処理をスタートさせる前にはスタンバイモードとすることを特徴とする携帯機器。
【請求項３】
請求項１または２記載の携帯機器において、前記システム起動スイッチは、密封型として、内部に不活性ガスを充満させ、或いは内部を真空状態とスイッチからなることを特徴とする携帯機器。
【請求項４】
請求項２または３記載の携帯機器において、前記処理手段は、前記システム起動スイッチから最初の起動信号を受信した後、一定時間内に短い所定数の起動信号を受信した場合には当該携帯機器の移送中であると判断して電源投入を行わないことを特徴とする携帯機器。
【発明の詳細な説明】
【技術分野】
【０００１】
本発明はデジタルカメラなどの携帯機器に関する。
【背景技術】
【０００２】
デジタルカメラなどの携帯機器においては、人が使用しようとして電源スイッチをオンさせた時に、システムを起動して撮影などを行っている。
【発明の開示】
【発明が解決しようとする課題】
【０００３】
デジタルカメラなどの携帯機器においては、人が使用しようとして電源スイッチをオンさせた時にシステムを起動するので、システムの起動に時間がかかり、一瞬の撮影チャンスを逃すことがある。
【０００４】
本発明は、システム起動を早くできて一瞬の撮影チャンスを逃さないようにできる携帯機器を提供することを目的とする。  
本発明の他の目的は、消費電流を極力抑えることができる携帯機器を提供することを目的とする。  
本発明の他の目的は、システム起動スイッチの接点の錆びを防止して耐久性を向上させることができる携帯機器を提供することを目的とする。  
本発明の他の目的は、不要な電源投入を避けて電力損失を抑えることができる携帯機器を提供することを目的とする。
【課題を解決するための手段】
【０００５】
上記目的を達成するため、請求項１に係る発明は、人が当該携帯機器を手にすることにより作動するメカニカルなシステム起動スイッチと、このシステム起動スイッチからの入力信号に基づいて、人が当該携帯機器を手にした時点でシステム起動に必要な処理であって撮影前に行われる所定のシステム処理を開始させる処理手段とを備えたものである。
【０００６】
請求項２に係る発明は、請求項１記載の携帯機器において、前記所定のシステム処理をスタートさせる前にはスタンバイモードとするものである。
【０００７】
請求項３に係る発明は、請求項１または２記載の携帯機器において、前記システム起動スイッチは、密封型として、内部に不活性ガスを充満させ、或いは内部を真空状態とスイッチからなるものである。
【０００８】
請求項４に係る発明は、請求項２または３記載の携帯機器において、前記処理手段は、前記システム起動スイッチから最初の起動信号を受信した後、一定時間内に短い所定数の起動信号を受信した場合には当該携帯機器の移送中であると判断して電源投入を行わないものである。
【発明の効果】
【０００９】
本発明によれば、システム起動を早くできて一瞬の撮影チャンスを逃さないようにできる。
【００１０】
本発明によれば、消費電流を極力抑えることができる。
【００１１】
本発明によれば、システム起動スイッチの接点の錆びを防止して耐久性を向上させることができる。
【００１２】
本発明によれば、不要な電源投入を避けて電力損失を抑えることができる。
【発明を実施するための最良の形態】
【００１３】
図１及び図２は本発明の一実施例であるデジタルカメラのシステム起動スイッチを示す。  
システム起動スイッチは、筐体１と、この筐体１の上部に固定され、中央に穴が空いている半球状の導電性支持部材としての金属ドーム（丸屋根）２と、金属ドーム２の穴に挿入されてその穴より上側の球状部分とその穴より下側の鍔とにより揺動自在に支持されて挿入されてぶら下がっている金属製の感知ピン３と、感知ピン３の下部が揺動により接離する導電性臼状の金属製感知ピン受け４とで構成され、金属ドーム２ならびに感知ピン受け４にはそれぞれリード端子５、６が付いている。
【００１４】
金属製の感知ピン３は、筐体１が水平状態であれば、感知ピン受け４から離れ、これによりリード端子５、６間が導通状態となる。金属製の感知ピン３は、筐体１が水平状態以外の状態になると、感知ピン受け４と接触し、これによりリード端子５、６間が金属ドーム２、感知ピン３及び感知ピン受け４を介して導通状態となる。
【００１５】
図３は本実施例のシステムブロックを示す。  
本実施例のデジタルカメラは、電池１９がセットされて電池１９から電源回路１６及び制御手段としてのマイクロコンピュータ（以下マイコンという）１７に電力が供給されている状態においては、ユーザが電源スイッチ２０を押すまではマイコン１７が電源回路１８の制御を行うことは無く、消費電力を下げるためにスタンバイ（待機）状態に移行している。
【００１６】
本実施例では、電源回路１６を制御するマイコン１７の割り込み入力端子には上記システム起動スイッチ１８のリード５、６の一方が接続され、リード５、６の他方は電源回路１６から電池１９のセット時に電圧が印加される。デジタルカメラが机上などから持ち上げられることでシステム起動スイッチ１８の筐体１が水平状態で無くなると、感知ピン３が感知ピン受け４と接触して導通状態となる結果、システム起動スイッチ１８からマイコン１７へ割り込み信号が入り、マイコン１７はスタンバイ状態から起動状態となる。
【００１７】
図４は本実施例のシステム起動スイッチ制御を示す。  
マイコン１７は、システム起動スイッチ１８から１発目の割り込み信号を受けると、スタンバイ状態から起動状態となり、一定の判定時間２３中に規定数以上の割り込み信号がシステム起動スイッチ１８から入力されたか否かを判断してシステム７軌道の準備を行い、即ち、一定の判定時間２３中に規定数以上の割り込み信号がシステム起動スイッチ１８から入力された場合には、ユーザによる撮影状態では無いと判断して電源回路１６を起動しない。この場合、マイコン１７は、再びスタンバイ状態へと移行する。
【００１８】
マイコン１７は、起動状態となって、判定時間２３中に規定数以下の割り込み信号しかシステム起動スイッチ１８から入力されない場合には、ユーザによる撮影モードであると判断し、電源回路１６を起動してデジタルカメラ本体の起動、即ちフラッシュメモリ１４からメイン回路１１を介してワークメモリ１５へプログラムの転送を始める。従って、ユーザが本デジタルカメラの電源スイッチ２０を押す前に、デジタルカメラ本体の起動（＝プログラムの転送）は既に完了しているので、素早いカメラ起動が実現できる。なお、メイン回路１１は、上記プログラムがワークメモリ１５へ転送されることにより、直ちにシステムリセットの解除、パラメータセット、レンズホームポジション移動など撮影前に必ず行うべきシステム処理をスタートさせることで、電源投入及びプログラムの転送以外の、システム起動に必要な処理を行うようにしてもよい。
【００１９】
撮影モードでは、被写体画像は、レンズ７、絞り８を通して撮像素子としてのＣＣＤ９に入力されて画像信号に変換される。メイン回路１１は、ＣＣＤ９からの画像信号をデジタル画像信号への変換などの処理を行ってフレームメモリに格納し、このフレームメモリ内の画像信号により表示系１２に画像を表示させる。メイン回路１１は、フレームメモリ内の画像信号に対して各種の処理を施してフレッシュメモリ１４に格納する。また、再生モードでは、メイン回路１１は、フレッシュメモリ１４に格納されている画像信号を読み出し、この画像信号により表示系１２に画像を表示させたり、その画像信号を外部インターフェース（Ｉ／Ｆ）１３を介して外部にパーソナルコンピュータなどに転送する。なお、使用者はキー１０により各モードなどをメイン回路１１に指示する。
【００２０】
システム起動スイッチ１８の筐体１は、内部が密封される密封型構造に構成され、内部に窒素のような不活性ガスが封入され、或いは内部が真空状態にされ、筐体１内に封入されている半球状の金属ドーム２、金属製の感知ピン３並びに金属製の臼のような感知ピン受け４の接点酸化が防止される。
【００２１】
この実施例によれば、人が当該携帯機器を手にすることにより作動するメカニカルなシステム起動スイッチ１８と、このシステム起動スイッチ１８からの入力信号に基づいて、人が当該携帯機器を手にした時点でシステム起動に必要な処理であって撮影前に行われる所定のシステム処理としての電源投入、プログラム転送（あるいは電源投入、プログラム転送、システムリセットの解除、パラメータセット、レンズホームポジション移動など、システム起動に必要な処理であって撮影前に行われる所定のシステム処理）を開始させる処理手段としてのマイコン１７とを備えたので、携帯機器を手にした時点で意図的にシステム起動を実行させることができ、結果的にシステム起動を早くできてシステム起動時間を速くでき、一瞬の撮影チャンスを逃さないようにできる。
【００２２】
この実施例によれば、システム起動前の待機電流は極力無くす必要があることから、上記所定のシステム処理をスタートさせる前にはスタンバイモードとするので、システム起動前の待機電流を数十μＡ以下に抑えることができる。さらに、システム起動スイッチ１８はシンプルで且つ耐久性があるメカニカルな構造としたので、システム起動スイッチ１８の耐久性の向上を実現できる。
【００２３】
この実施例によれば、システム起動スイッチ１８の接点は耐久性の向上のために防錆処理が必要であることから、システム起動スイッチ１８は、密封型として、内部に不活性ガスを充満させ、或いは内部を真空状態とスイッチで構成したので、システム起動スイッチ１８の接点の錆びを防止して耐久性を向上させることができる。
【００２４】
この実施例によれば、マイコン１７は、システム起動スイッチ１８から最初の起動信号を受信した後、一定時間２３内に短い所定数の起動信号を受信した場合には当該携帯機器の移送中であると判断して電源投入を行わないので、不要な電源投入を避けて電力損失を抑えることができる。
【００２５】
なお、本発明は、デジタルカメラ以外の撮影機能を有する携帯機器にも同様に実施することができる。
【図面の簡単な説明】
【００２６】
【図１】本発明の一実施例のシステム起動スイッチを示す透視図である。
【図２】同システム起動スイッチを示す断面図である。
【図３】同実施例のシステムブロックを示すブロック図である。
【図４】同実施例のシステム起動スイッチ制御を示すタイミングチャートである。
【符号の説明】
【００２７】
１６      電源回路
１７      マイコン
１８      システム起動スイッチ
【図１】
2008005158.tif 000003
【図２】
2008005158.tif 000004
【図３】
2008005158.tif 000005
【図４】
2008005158.tif 000006